(57)【要約】【課題】放出物が何で有るか遠くからでも確認し易く、従来よりも更に効果的に演出を盛り上げることのできるクラッカーを提供する。【解決手段】クラッカー本体と、前記クラッカー本体の内部に装填され、引紐の引張り操作で爆発する火薬体と、前記火薬体と同様に前記クラッカー本体の内部に装填され、前記火薬体の爆発とともに前記クラッカー本体外に放出される放出物と、を少なくとも備えて成るクラッカーであって、前記クラッカーは、前記放出物が、蛍光体を有してなる蛍光放出物または蓄光体を有してなる蓄光放出物のいずれか一方、または両方である。【選択図】図１
2013072573.tif 000002
【特許請求の範囲】
【請求項１】
クラッカー本体と、
前記クラッカー本体の内部に装填され、引紐の引張り操作で爆発する火薬体と、
前記火薬体と同様に前記クラッカー本体の内部に装填され、前記火薬体の爆発とともに前記クラッカー本体外に放出される放出物と、
を少なくとも備えて成るクラッカーであって、
前記クラッカーは、
前記放出物が、蛍光体を有してなる蛍光放出物，または蓄光体を有してなる蓄光放出物のいずれか一方であることを特徴とするクラッカー。
【請求項２】
クラッカー本体と、
前記クラッカー本体の内部に装填され、引紐の引張り操作で爆発する火薬体と、
前記火薬体と同様に前記クラッカー本体の内部に装填され、前記火薬体の爆発とともに前記クラッカー本体外に放出される放出物と、
を少なくとも備えて成るクラッカーであって、
前記クラッカーは、
前記放出物が、蛍光体を有してなる蛍光放出物および蓄光体を有してなる蓄光放出物であることを特徴とするクラッカー。
【請求項３】
前記蛍光放出物が、
前記放出物を蛍光塗料で塗色してなるものであることを特徴とする請求項１または２に記載のクラッカー。
【請求項４】
前記蓄光放出物が、
前記放出物を蓄光塗料で塗色してなるものであることを特徴とする請求項１または２に記載のクラッカー。
【発明の詳細な説明】
【技術分野】
【０００１】
本発明は、引紐を引っ張ることで、爆発音とともに発射口から巻テープや紙吹雪などの放出物が発射されるクラッカーに関する。
【背景技術】
【０００２】
パーティーや結婚式などの祝宴では、祝宴の場を盛り上げるのにしばしばクラッカーが用いられている。
このようなクラッカーは、基本的に引紐を引っ張ることで火薬体が圧縮されて爆発が生じ、この爆発による爆発音とともに発射口からテープや紙吹雪などの放出物が発射されるよう構成されたものであり、近年では趣向を凝らした様々なクラッカーが開発され、使用用途に合わせて選択ができるほどバラエティーに富んだものとなっている。
【０００３】
このようなクラッカーの例としては、一般的に良く知られた円錐形状のもの、楽器や銃器の形状を模したもの、ビール瓶やシャンパンの形状を模したものなどがあり、また放出物が複数回に分けて飛び出す構造のもの、放出物が飛び散らない構造のものなど（例えば本出願人による特許文献1〜３）もあり、多種多様である。
【０００４】
さらに、内蔵される放出物についても、例えば巻テープ，カラーテープ，メタルテープ，花吹雪，紙幣，国旗，パラシュートなど多様化されている。
【先行技術文献】
【特許文献】
【０００５】
【特許文献１】特開２００３−１９４４９９号公報
【特許文献２】特開２００４−２３３０４９号公報
【特許文献３】特開２０１０−２６６０８２号公報
【発明の概要】
【発明が解決しようとする課題】
【０００６】
ところで上記したようなクラッカーに内蔵される放出物は、放出時において派手な演出，突然で意外な演出のために効果的に作用するものであるが、一通り万人に周知されてしまっているため、更に効果的に演出を盛り上げることのできる新たなクラッカーが求められている。
【０００７】
また、クラッカーを鳴らした際に、クラッカーから遠く離れた位置にいると放出物が何であるか確認し辛いという問題もあり、これらを解決した新たなクラッカーが求められているのが現状である。
【０００８】
本発明は、このような現状に鑑みなされたものであって、放出物が何で有るか遠くからでも確認し易く、従来よりも更に効果的に演出を盛り上げることのできるクラッカーを提供することを目的とする。
【課題を解決するための手段】
【０００９】
本発明は、上述したような従来技術における課題および目的を達成するために発明されたものであって、
本発明のクラッカーは、
クラッカー本体と、
前記クラッカー本体の内部に装填され、引紐の引張り操作で爆発する火薬体と、
前記火薬体と同様に前記クラッカー本体の内部に装填され、前記火薬体の爆発とともに前記クラッカー本体外に放出される放出物と、
を少なくとも備えて成るクラッカーであって、
前記クラッカーは、
前記放出物が、蛍光体を有してなる蛍光放出物、または蓄光体を有してなる蓄光放出物のいずれか一方であることを特徴とする。
【００１０】
さらに、本発明のクラッカーは、
クラッカー本体と、
前記クラッカー本体の内部に装填され、引紐の引張り操作で爆発する火薬体と、
前記火薬体と同様に前記クラッカー本体の内部に装填され、前記火薬体の爆発とともに前記クラッカー本体外に放出される放出物と、
を少なくとも備えて成るクラッカーであって、
前記クラッカーは、
前記放出物が、蛍光体を有してなる蛍光放出物および蓄光体を有してなる蓄光放出物であることを特徴とする。
【００１１】
このように構成すれば、クラッカー本体から外に放出される放出物を際立たせることができるため、放出物が何で有るか遠くからでも確認し易く、従来よりも更に効果的に演出を盛り上げることができる。
【００１２】
なお、蛍光放出物を用いた場合には、基本的に明るい状況下（例えば結婚式場，屋外など）で放出物を際立たせるのに効果的であり、蓄光放出物を用いた場合には、暗い状況下（例えば披露宴，カラオケボックスなど）で放出物を際立たせるのに効果的である。
さらに、蛍光放出物と蓄光放出物の両方を用いた場合には、両方の演出効果を楽しむことができ、好ましい使用環境も限られることがない。
【００１３】
また、本発明のクラッカーは、
前記蛍光放出物が、
前記放出物を蛍光塗料で塗色してなるものであることを特徴とする。
このように構成すれば、所望の放出物を簡単に蛍光放出物とすることができるため、バラエティーに富んだクラッカーを提供することができる。
【００１４】
また、本発明のクラッカーは、
前記蓄光放出物が、
前記放出物を蓄光塗料で塗色してなるものであることを特徴とする。
【００１５】
このように構成すれば、所望の放出物を簡単に蓄光放出物とすることができるため、バラエティーに富んだクラッカーを提供することができる。
【発明の効果】
【００１６】
本発明によれば、放出物を、蛍光体を有してなる蛍光放出物または蓄光体を有してなる蓄光放出物のいずれか一方、または両方とすることで、放出物が何で有るか遠くからでも確認し易く、従来よりも更に効果的に演出を盛り上げることのできるクラッカーを提供することができる。
【図面の簡単な説明】
【００１７】
【図１】図１は、本発明のクラッカーの一実施形態を示した斜視図である。
【発明を実施するための形態】
【００１８】
以下、本発明の一実施形態を図面に基づいてより詳細に説明する。
本発明のクラッカーは、引紐を引っ張ることで、火薬体が圧縮されて爆発が生じ、この爆発による爆発音とともに発射口からテープや紙吹雪などの放出物が発射されるよう構成されたものである。
【００１９】
なお、本明細書中で「蛍光」とは、蛍光体（蛍光物質）が光の刺激を受けて発光する現象のことをいうものであり、広義に燐光も含まれるものである。
また、本明細書中で「蓄光」とは、光を蓄えて徐々に放出する蓄光体が蓄えた光を放出して光る現象のことをいうものである。
【００２０】
図１に示したように、本発明の一実施例にかかるクラッカー１０は、クラッカー本体１２と、このクラッカー本体１２の内部に装填され、引紐１４の引張り操作に伴い圧縮されて爆発する火薬体（図示せず）と、火薬体（図示せず）と同様にクラッカー本体１２の内部に装填され、火薬体（図示せず）の爆発とともにクラッカー本体１２外に放出される放出物１６と、を少なくとも備えて成るものである。なお図中の符号１８はクラッカー本体１２の蓋部材、符号２０は放出物１６の発射口である。
【００２１】
特に本発明では、クラッカー本体１２の内部に装填された放出物１６が、蛍光体（蛍光物質）を有してなる蛍光放出物、または蓄光体を有してなる蓄光放出物のいずれか一方または両方であり、この点が特徴的である。
【００２２】
ここで蛍光放出物の具体例としては、蛍光体（蛍光物質）を塗料中に配合した蛍光塗料で色付けされてなる放出物１６が挙げられる。
また蓄光放出物の具体例としては、蓄光体（蓄光物質）を塗料中に配合した蓄光塗料で色付けされてなる放出物１６が挙げられる。
【００２３】
蛍光体（蛍光物質），蓄光体（蓄光物質）としては従来より公知のものを用いることができ特に限定されるものではないものである。
さらに、放出物１６についても従来より公知のもので良く、例えば巻テープ，カラーテープ，メタルテープ，花吹雪，紙幣，国旗，パラシュートなどが挙げられる。
【００２４】
これら例に挙げたような放出物１６に、蛍光塗料または蓄光塗料を塗布することで蛍光放出物または蓄光放出物を簡単に作ることができる。
本発明のクラッカー１０では、クラッカー本体１２内に蛍光放出物または蓄光放出物のいずれか一方、または両方が装填されているため、蛍光放出物を用いた場合には、基本的に明るい状況下（例えば結婚式場，屋外など）で放出物１６を際立たせるのに効果的であり、蓄光放出物を用いた場合には、暗い状況下（例えば披露宴，カラオケボックスなど）で放出物１６を際立たせることができ、演出効果を高めることができ、両方を用いた場合には両方の演出効果を楽しむことができる効果を有する。
【００２５】
したがって、本発明のクラッカー１０は、放出物が何で有るか遠くからでも確認し易く、従来よりも更に効果的に演出を盛り上げることができる。
以上、本発明の好ましい一実施態様を説明してきたが、本発明はこれに限定されることはなく、例えば図１では円錐形状の一般的なクラッカー１０を記したが、その他の形態（楽器や銃器の形状を模したもの、ビール瓶やシャンパンの形状を模したものなど）を有するものや、放出物１６が複数回に分けて飛び出したり、放出物１６が飛び散らないなどの特殊な構造のものであっても良く、本発明の目的を逸脱しない範囲で種々の変更が可能なものである。
【符号の説明】
【００２６】
１０・・・クラッカー
１２・・・クラッカー本体
１４・・・引紐
１６・・・放出物
１８・・・蓋部材
２０・・・発射口
【図１】
2013072573.tif 000003